(57)【特許請求の範囲】
【請求項１】
プロジェクト管理情報で管理される行為情報に対応するマークを、プロジェクトを構成する複数の項目ごとに生成された第１の時間軸情報上の、該行為情報の実行時刻に対応する位置に表示させるための第１表示情報を生成する第１表示情報生成部と、
前記行為情報の解析に関する項目ごとの、解析結果情報を表示させるための時間軸の時間単位および時間幅の情報を含む解析項目情報を記憶する記憶部と、
前記第１表示情報生成部で生成され表示された複数の第１の時間軸情報に基づく前記第１表示情報中から、選択された時間範囲内に含まれるマークに対応する行為情報を、解析対象の行為情報として抽出する行為情報抽出部と、
前記行為情報抽出部で抽出された複数の行為情報のそれぞれに関連する値に基づいて、設定された演算式により算出した解析結果を出力する解析処理部と、
前記記憶部に記憶された中から指定された解析項目情報に基づいて、該当する解析結果情報を表示させるための第２の時間軸情報を生成し、前記解析処理部で出力された解析結果に対応するマークを、前記第２の時間軸情報上の、前記選択された時間範囲に対応する位置に解析結果情報として表示させるための第２表示情報を生成する第２表示情報生成部と、
を備えることを特徴とするプロジェクト管理情報生成装置。
【請求項２】
プロジェクト管理情報で管理される行為情報に対応するマークを、プロジェクトを構成する複数の項目ごとに生成された第１の時間軸情報上の、該行為情報の実行時刻に対応する位置に表示させるための第１表示情報を生成する第１表示情報生成部と、
前記行為情報の解析に関する項目ごとの、解析結果情報を表示させるための時間軸の時間単位および時間幅の情報を含む解析項目情報を記憶する記憶部と、
前記第１表示情報生成部で生成され表示された複数の第１の時間軸情報に基づく前記第１表示情報中から、設定された時間で区切られた時間範囲ごとに、該当するマークに対応する行為情報を、解析対象の行為情報としてそれぞれ抽出する行為情報抽出部と、
前記行為情報抽出部で抽出された複数の行為情報のそれぞれに関連する値に基づいて、設定された演算式で演算を行うことにより、前記時間範囲ごとに算出した解析結果を出力する解析処理部と、
前記記憶部に記憶された中から指定された解析項目情報に基づいて、該当する解析結果情報を表示させるための第２の時間軸情報を生成し、前記解析処理部で出力された解析結果に対応するマークを、前記第２の時間軸情報上の、該当する時間範囲に対応する位置に解析結果情報として表示させるための第２表示情報を生成する第２表示情報生成部と、
を備えることを特徴とするプロジェクト管理情報生成装置。
【請求項３】
前記解析処理部では、前記抽出された複数の行為情報に関連する値の、総和値、平均値、微分値、積分値、または相関関係を示す値を求める演算式により演算することにより、前記解析結果を出力する
ことを特徴とする請求項１または２に記載のプロジェクト管理情報生成装置。
【請求項４】
前記第１表示情報生成部で生成された第１表示情報に表示されるマークは、当該マークに対応する行為情報の行為の実行開始時刻から終了時刻までに要する時間に対応する横幅を有しており、
前記行為情報抽出部では、前記設定された時間範囲内に、前記実行開始時刻が含まれるマークに対応する行為情報、前記終了時刻が含まれるマークに対応する行為情報、当該行為情報の前記実行開始時刻から終了時刻までのすべてが含まれるマークに対応する行為情報、または、一部が含まれるマークに対応する行為情報を、解析対象の行為情報として抽出する
ことを特徴とする請求項１〜３いずれか１項に記載のプロジェクト管理情報生成装置。
【請求項５】
プロジェクト管理情報生成装置に、
プロジェクト管理情報で管理される行為情報に対応するマークを、プロジェクトを構成する複数の項目ごとに生成された第１の時間軸情報上の、該行為情報の実行時刻に対応する位置に表示させるための第１表示情報を生成する第１表示情報生成機能と、
前記行為情報の解析に関する項目ごとの、解析結果情報を表示させるための時間軸の時間単位および時間幅の情報を含む解析項目情報を記憶する記憶機能と、
前記第１表示情報生成機能により生成され表示された複数の第１の時間軸情報に基づく前記第１表示情報中から、選択された時間範囲内に含まれるマークに対応する行為情報を、解析対象の行為情報として抽出する行為情報抽出機能と、
前記行為情報抽出機能により抽出された複数の行為情報のそれぞれに関連する値に基づいて、設定された演算式により算出した解析結果を出力する解析処理機能と、
前記記憶機能により記憶された中から指定された解析項目情報に基づいて、該当する解析結果情報を表示させるための第２の時間軸情報を生成し、前記解析処理機能により出力された解析結果に対応するマークを、前記第２の時間軸情報上の、前記選択された時間範囲に対応する位置に解析結果情報として表示させるための第２表示情報を生成する第２表示情報生成機能と、
を実行させるためのプロジェクト管理情報生成用プログラム。
【請求項６】
電子カルテ情報で管理される医療行為情報に対応するマークを、電子カルテを構成する複数の項目ごとに生成された第１の時間軸情報上の、該医療行為情報の実行時刻に対応する位置に表示させるための第１表示情報を生成する第１表示情報生成部と、
前記医療行為情報の解析に関する項目ごとの、解析結果情報を表示させるための時間軸の時間単位および時間幅の情報を含む解析項目情報を記憶する記憶部と、
前記第１表示情報生成部で生成され表示された複数の第１の時間軸情報に基づく前記第１表示情報中から、選択された時間範囲内に含まれるマークに対応する医療行為情報を、解析対象の医療行為情報として抽出する行為情報抽出部と、
前記行為情報抽出部で抽出された複数の医療行為情報のそれぞれに関連する値に基づいて、設定された演算式により算出した解析結果を出力する解析処理部と、
前記記憶部に記憶された中から指定された解析項目情報に基づいて、該当する解析結果情報を表示させるための第２の時間軸情報を生成し、前記解析処理部で出力された解析結果に対応するマークを、前記第２の時間軸情報上の、前記選択された時間範囲に対応する位置に解析結果情報として表示させるための第２表示情報を生成する第２表示情報生成部と、
を備えることを特徴とする電子カルテ情報生成装置。
【発明の詳細な説明】
【技術分野】
【０００１】
本発明は、様々な分野のプロジェクト管理に用いるプロジェクト管理情報を生成するためのプロジェクト管理情報生成装置、プロジェクト管理情報生成用プログラム、および電子カルテ情報生成装置に関する。
【背景技術】
【０００２】
従来、様々な分野でプロジェクト管理を行うためのアプリケーションが開発され、利用されている。
【０００３】
その中で、医療現場においては患者の治療計画を電子カルテで管理することが行われている。
【０００４】
この電子カルテを採用することにより、紙のカルテを利用するときに比べてデータの保存スペースを縮小できるとともに、紙のカルテをめくる等の作業をせずに表示画面上で所望の患者に関する過去の情報を迅速に閲覧できるようになる。
【０００５】
患者の情報を迅速に閲覧するため、特許文献１に記載した電子カルテ情報のように、階層的に分類された項目ごとに表示された時間軸情報上の該当位置に医療行為を示すマークを表示させることにより、治療の経過および計画を閲覧しやすくすることが可能になる。
【先行技術文献】
【特許文献】
【０００６】
【特許文献１】特開２０１０−４４６６３号公報
【発明の概要】
【発明が解決しようとする課題】
【０００７】
この特許文献１に記載の技術を利用した電子カルテ情報は、ユーザの操作によりさまざまな表示形態に切り替えることができ、例えば階層的に分類された下位の複数項目の情報を、一の時間軸情報上に上位項目としてまとめて表示させることができる。
【０００８】
しかし、上述したような従来の技術では、複数項目の情報を一の時間軸情報上にまとめて表示させる際には、単に重ね合わせたり包含させたりすることが一般的であったが、内容によってさらに多様な形態で表示させる技術が望まれていた。
【０００９】
よって本発明の目的は、プロジェクト管理を行うために入力される複数項目のプロジェクト管理情報の内容を、多様に解析して表示することが可能なプロジェクト管理情報生成装置、プロジェクト管理情報生成用プログラム、および電子カルテ情報生成装置を提供することである。
【課題を解決するための手段】
【００１０】
上記目的を達成するための本発明のプロジェクト管理情報生成装置は、プロジェクト管理情報で管理される行為情報に対応するマークを、プロジェクトを構成する複数の項目ごとに生成された第１の時間軸情報上の、該行為情報の実行時刻に対応する位置に表示させるための第１表示情報を生成する第１表示情報生成部と、前記行為情報の解析に関する項目ごとの、解析結果情報を表示させるための時間軸の時間単位および時間幅の情報を含む解析項目情報を記憶する記憶部と、前記第１表示情報生成部で生成され表示された複数の第１の時間軸情報に基づく前記第１表示情報中から、選択された時間範囲内に含まれるマークに対応する行為情報を、解析対象の行為情報として抽出する行為情報抽出部と、前記行為情報抽出部で抽出された複数の行為情報のそれぞれに関連する値に基づいて、設定された演算式により算出した解析結果を出力する解析処理部と、前記記憶部に記憶された中から指定された解析項目情報に基づいて、該当する解析結果情報を表示させるための第２の時間軸情報を生成し、前記解析処理部で出力された解析結果に対応するマークを、前記第２の時間軸情報上の、前記選択された時間範囲に対応する位置に解析結果情報として表示させるための第２表示情報を生成する第２表示情報生成部とを備えることを特徴とする。
【００１１】
また本発明のプロジェクト管理情報生成用プログラムは、プロジェクト管理情報生成装置に、プロジェクト管理情報で管理される行為情報に対応するマークを、プロジェクトを構成する複数の項目ごとに生成された第１の時間軸情報上の、該行為情報の実行時刻に対応する位置に表示させるための第１表示情報を生成する第１表示情報生成機能と、前記行為情報の解析に関する項目ごとの、解析結果情報を表示させるための時間軸の時間単位および時間幅の情報を含む解析項目情報を記憶する記憶機能と、前記第１表示情報生成機能により生成され表示された複数の第１の時間軸情報に基づく前記第１表示情報中から、選択された時間範囲内に含まれるマークに対応する行為情報を、解析対象の行為情報として抽出する行為情報抽出機能と、前記行為情報抽出機能により抽出された複数の行為情報のそれぞれに関連する値に基づいて、設定された演算式により算出した解析結果を出力する解析処理機能と、前記記憶機能により記憶された中から指定された解析項目情報に基づいて、該当する解析結果情報を表示させるための第２の時間軸情報を生成し、前記解析処理機能により出力された解析結果に対応するマークを、前記第２の時間軸情報上の、前記選択された時間範囲に対応する位置に解析結果情報として表示させるための第２表示情報を生成する第２表示情報生成機能とを実行させることを特徴とする。
【００１２】
また本発明の電子カルテ情報生成装置は、電子カルテ情報で管理される医療行為情報に対応するマークを、電子カルテを構成する複数の項目ごとに生成された第１の時間軸情報上の、該医療行為情報の実行時刻に対応する位置に表示させるための第１表示情報を生成する第１表示情報生成部と、前記医療行為情報の解析に関する項目ごとの、解析結果情報を表示させるための時間軸の時間単位および時間幅の情報を含む解析項目情報を記憶する記憶部と、前記第１表示情報生成部で生成され表示された複数の第１の時間軸情報に基づく前記第１表示情報中から、選択された時間範囲内に含まれるマークに対応する医療行為情報を、解析対象の医療行為情報として抽出する行為情報抽出部と、前記行為情報抽出部で抽出された複数の医療行為情報のそれぞれに関連する値に基づいて、設定された演算式により算出した解析結果を出力する解析処理部と、前記記憶部に記憶された中から指定された解析項目情報に基づいて、該当する解析結果情報を表示させるための第２の時間軸情報を生成し、前記解析処理部で出力された解析結果に対応するマークを、前記第２の時間軸情報上の、前記選択された時間範囲に対応する位置に解析結果情報として表示させるための第２表示情報を生成する第２表示情報生成部とを備えることを特徴とする。
【発明の効果】
【００１３】
よって本発明のプロジェクト管理情報生成装置、プロジェクト管理情報生成用プログラム、および電子カルテ情報生成装置によれば、プロジェクト管理を行うために入力される複数項目のプロジェクト管理情報の内容を、多様に解析して表示することができる。
【図面の簡単な説明】
【００１４】
【図１】本発明の第１実施形態による電子カルテ情報生成装置を利用した電子カルテ管理システムの構成を示すブロック図である。
【図２】本発明の第１実施形態による電子カルテ情報生成装置で利用されるＣＯＡ情報の構造を示す説明図である。
【図３】本発明の第１実施形態による電子カルテ情報生成装置で表示される時間軸上におけるＣＯＡ情報の対応する位置を示す説明図である。
【図４】本発明の第１実施形態による電子カルテ情報生成装置の動作を示すフローチャートである。
【図５】本発明の第１実施形態による電子カルテ情報生成装置で表示された電子カルテ情報を示す表示図である。
【図６】本発明の第１実施形態による電子カルテ情報生成装置で表示された解析結果を含む電子カルテ情報を示す表示図である。
【図７】本発明の第２実施形態による電子カルテ情報生成装置の動作を示すフローチャートである。
【図８】本発明の第２実施形態による電子カルテ情報生成装置で表示された電子カルテ情報を示す表示図である。
【図９】本発明の第２実施形態による電子カルテ情報生成装置で表示された解析結果を含む電子カルテ情報を示す表示図である。
【図１０】本発明の他の実施形態による電子カルテ情報生成装置で表示された電子カルテ情報の、解析結果を別ウィンドウにグラフで表示させた状態を示す表示図である。
【図１１】本発明の他の実施形態による電子カルテ情報生成装置で表示された解析処理時の情報を含む電子カルテ情報を示す表示図である。
【発明を実施するための形態】
【００１５】
本発明のプロジェクト管理情報生成装置の実施形態として、電子カルテ情報を生成する電子カルテ情報生成装置を利用した電子カルテ管理システムについて説明する。
【００１６】
〈基本概念〉
本発明の実施形態による電子カルテ情報生成装置を利用する電子カルテ管理システムにおいては、様々な種類の医療行為を個々に「アクト」として定義し管理している。
【００１７】
そして、これらの個々のアクトはその行為の核心となる情報（Core of Act、以下「ＣＯＡ」とする。）を有する。このＣＯＡの中にはそれぞれ時間軸を基にして定義された自己の行為に関する情報や他の行為との関係情報等が格納されている。
【００１８】
アクトの種類としては、「観察」、「処方」、「注射」、「給食」等があり、これらには例えば何を観察するか、または何の薬剤を注射するか等の自己の行為に関する情報や、「注射」を行ってから所定の時間経過後に「観察」しなければならない等の時間軸に基づく他の医療行為との関係情報が個々にあり、これらがＣＯＡの中に格納されている。
【００１９】
医療行為以外の情報、例えば「症状」の情報なども、「観察」というアクトに基づいて発生するＣＯＡであり、これらの情報（症状）は「観察」のＣＯＡ情報として保持される。つまり、すべての情報は何らかの医療行為（アクト）のＣＯＡ情報として保持される。
【００２０】
《第１実施形態》
〈第１実施形態としての電子カルテ管理システムの構成〉
本発明の第１実施形態における電子カルテ管理システム１の構成について、図１を参照して説明する。
【００２１】
本実施形態における電子カルテ管理システム１は、電子カルテ管理センター装置１０と、電子カルテ情報生成装置としての複数の電子カルテ情報生成装置２０とが、ネットワーク３０を介して接続されることにより構成されている。
【００２２】
〔電子カルテ管理センター装置１０〕
電子カルテ管理センター装置１０は、ＣＯＡ情報記憶部１１と、電子カルテ情報記憶部１２と、外部の複数の電子カルテ情報生成装置２０とネットワーク３０を介して通信を行う送受信部１３とを有する。
【００２３】
ＣＯＡ情報記憶部１１は、予め入力された種々のアクトに関するＣＯＡ情報が格納されている。
【００２４】
電子カルテ情報記憶部１２は、ＣＯＡ情報を使用して電子カルテ情報として生成されたデータを記録する。
【００２５】
送受信部１３は、ネットワーク３０を介して接続された電子カルテ情報生成装置２０と、ＣＯＡ情報および電子カルテ情報の送受信を行う。
【００２６】
−ＣＯＡ情報の構成−
ＣＯＡ情報記憶部１１に格納されている各ＣＯＡ情報を構成する情報について、図２を参照して説明する。
【００２７】
各ＣＯＡ情報は、（１）アクト情報層１００と、（２）アクト動作層２００と、（３）出力層３００と、（４）管理層４００とを有する。
【００２８】
（１）アクト情報層１００
アクト情報層１００は、自己のアクトに関する情報である自行為情報としての（i）自己アクト情報１１０と、他のＣＯＡ情報とリンクするための情報であるリンケージ情報としての（ii）リンケージアクト情報１２０とを有する。
【００２９】
（i）自己アクト情報１１０
自己アクト情報１１０はさらに、自行為特性情報としての自己アクト特性１１１と自行為論理情報としての自己アクト論理１１２とを有し、自己アクト特性１１１には、自己のアクトの名称１１１ａ（正式名称、別称、仮名称など）、分類１１１ｂ（大分類、中分類、小分類など）、関連ＩＤ１１１ｃ（名称１１１ａに対応し他のＣＯＡ情報とリンクするための識別ＩＤ）、知識１１１ｄ（自己のアクトに関する量、速度、単位、科学知識やノウハウなど）が格納されている。
【００３０】
分類１１１ｂの例としては、大分類として「動作アクト」、「論理上アクト」があり、「動作アクト」の中分類として「観察アクト」、「介入アクト」がある。また、「観察アクト」の小分類として「病歴」、「症状」、「所見」などがあり、「介入アクト」の小分類として「検体検査」、「画像検査」、「生理検査」、「処方」、「注射」、「処置」、「入退院」、「給食」などがある。また、「論理上アクト」の小分類として、「検査結果の組み合わせによるデータ生成」、「処方箋；物伝票の生成」などがある。
【００３１】
自己アクト論理１１２には、自己のアクトを実行する際の量の算出方法、投与量の適正範囲、症状の評価方法、単位の換算、表示方法などの情報が格納されている。
【００３２】
（ii）リンケージアクト情報１２０
リンケージアクト情報１２０は、リンケージアクト特性１２１とリンケージアクト論理１２２とを有し、リンケージアクト特性１２１には、他のＣＯＡ情報とリンクされることにより適用する従属的・排他的行為を含む相互に関連する行為の内容、適用時間、適用範囲などの情報が時間軸情報に基づいて格納され、リンケージアクト論理１２２には、リンケージアクト特性１２１の情報に基づいて他のＣＯＡ情報とリンクする際の論理和、論理積等による条件式、論理フローなどが格納されている。
【００３３】
（２）アクト動作層２００
アクト動作層２００には、自己アクト論理１１２およびリンケージアクト論理１２２に基づいて処理を実行する際の動作間の論理制御情報、例えば実行順序や条件式などが格納されている。
【００３４】
（３）出力層３００
出力層３００には、自己のＣＯＡ情報の動作に関する状態３００ａ（想定、計画、実施決定、準備、実施、結果など）、評価３００ｂ（成功、失敗など）、成果３００ｃ（観察結果、実施結果、図形化、伝票・処方箋生成など）、他のＣＯＡ情報に対する介入３００ｄなどの情報が格納されている。
【００３５】
（４）管理層４００
管理層４００には、各ＣＯＡ情報を管理するための管理ＩＤ群４００ａと、管理名称４００ｂと、各ＣＯＡ情報を著作物とする著作権４００ｃと、著作日時、更新日時などの版情報４００ｄとが格納されている。
【００３６】
各ＣＯＡ情報の時間軸上における情報の適用範囲を図３に示す。ＣＯＡ情報はそれぞれ複数のリンケージアクト情報１２０を有することが可能であり、図３のＣＯＡ情報においてはリンケージアクト情報１２０−１〜１２０−３の３つのリンケージアクトを有する。
【００３７】
図３において、リンケージアクト情報１２０−１は自己アクト情報１１０による医療行為実行後所定時間経過後から適用される情報であり、リンケージアクト情報１２０−２は自己アクト情報１１０による医療行為実行と同時に適用される情報であり、リンケージアクト情報１２０−３は自己アクト情報１１０による医療行為終了時から適用される情報である。
【００３８】
〔電子カルテ情報生成装置２０〕
電子カルテ情報生成装置２０は医師が利用するものであり、入力部２１と、制御部２２と、送受信部２３と、仮想記憶部２４と、表示部２５とを有する。
【００３９】
入力部２１は、例えばマウスやキーボードなどであり、利用者による操作内容を入力する。
【００４０】
制御部２２は、電子カルテ情報で管理されるＣＯＡ情報に対応するマークを、電子カルテを構成する複数の項目ごとに生成された時間軸情報上の該ＣＯＡ情報の実行時刻に対応する位置に表示させるための表示情報を第１表示情報として生成する第１表示情報生成部２２１と、第１表示情報生成部２２１で生成され表示された複数の時間軸情報に基づく第１表示情報の中から、医師の入力部２１の操作により選択された時間範囲内のマークに対応するＣＯＡ情報を、解析対象のＣＯＡ情報として抽出するＣＯＡ情報抽出部２２２と、ＣＯＡ情報抽出部２２２で抽出された複数のＣＯＡ情報に関連する値に基づいて、予め設定された演算式により演算することにより解析した結果を解析ＣＯＡ情報として出力する解析処理部２２３と、解析処理部２２３で出力された解析ＣＯＡ情報に対応するマークを、項目ごとに構成された時間軸情報とは異なる新たな時間軸情報上の、選択された時間範囲に対応する位置に表示させるための表示情報を、第２表示情報として生成する第２表示情報生成部２２４とを有する。
【００４１】
送受信部２３は、ネットワーク３０を介して接続された電子カルテ管理センター装置１０と、ＣＯＡ情報および電子カルテ情報の送受信を行う。
【００４２】
仮想記憶部２４は、電子カルテ管理センター装置１０から取得した情報および制御部２２で生成した情報を一時的に記憶し、ネットワーク３０が使用できない環境でも限定的な範囲において電子カルテの利用を可能にするものである。
【００４３】
表示部２５は、第１表示情報生成部２２１および第２表示情報生成部２２４で生成される情報を表示するモニタなどである。
【００４４】
〈第１実施形態としての電子カルテ管理システムの動作〉
以下に、具体例を用いて第１実施形態としての電子カルテ管理システム１により、電子カルテ情報を生成し表示する場合の動作について、図４のフローチャートを参照して説明する。
【００４５】
まず、利用者である医師により電子カルテ情報生成装置２０の電源が投入され、電子カルテ情報を生成するアプリケーションが起動される（Ｓ１）。
【００４６】
このアプリケーションを利用して電子カルテ情報が生成されるときの処理について説明する。
【００４７】
まず、医師の操作により入力部２１から電子カルテの作成指示が入力されると（Ｓ２）、表示部２５に電子カルテの作成画面が表示される。
【００４８】
次に、医師の操作により、電子カルテ情報を構成するための複数の項目に関するＣＯＡ情報が、電子カルテ管理センター装置１０のＣＯＡ情報記憶部１１から送受信部１３、ネットワーク３０、および送受信部２３を介して、第１表示情報生成部２２１で取得される（Ｓ３）。
【００４９】
この項目に関するＣＯＡ情報には、自己アクト情報として、時間軸情報を表示するための所定時間単位、時間幅等が含まれており、これらの情報に基づいて第１表示情報生成部２２１において項目ごとの時間軸情報が生成される。
【００５０】
本実施形態においては、電子カルテ情報を構成する項目としてＣＯＡ情報「Ａ製剤５ml」が電子カルテ管理センター装置１０のＣＯＡ情報記憶部１１から取得され、このＣＯＡ情報「Ａ製剤５ml」に含まれる自己アクト情報、例えばタイトル情報「Ａ製剤５ml」や、時間軸の時間単位や時間幅等に基づいて時間軸情報５０が生成される。同様に、ＣＯＡ情報「Ａ製剤１０ml」が取得され、このＣＯＡ情報に含まれる自己アクト情報に基づいて時間軸情報６０が生成される。同様に、ＣＯＡ情報「Ａ製剤２０ml」が取得され、このＣＯＡ情報に含まれる自己アクト情報に基づいて時間軸情報７０が生成され、表示部２５に表示される（Ｓ４）。
【００５１】
次に医師の操作により、これらの項目に関する実行内容を示すＣＯＡ情報である「Ａ製剤投与」情報が、第１表示情報生成部２２１において電子カルテ管理センター装置１０のＣＯＡ情報記憶部１１から取得される（Ｓ５）。この「Ａ製剤投与」情報には、Ａ製剤投与に要する時間情報、投与方法（例えば点滴、注射等）等が自己アクト情報として設定されている。
【００５２】
そして、この「Ａ製剤投与」の実行開始時刻が、表示された各時間軸情報５０〜７０が利用されて入力部２１によるクリック操作等により指定される。
【００５３】
実行開始時刻が指定されると、時間軸情報上の該当位置にこの「Ａ製剤投与」に対応する矩形マークが表示されるように、時間軸情報上に「Ａ製剤投与」情報が入力された電子カルテ情報が第１表示情報生成部２２１により生成される。生成された電子カルテ情報は、図５に示すように表示部２５に表示される（Ｓ６）。
【００５４】
図５に示す電子カルテ情報では、「Ａ製剤５ml」について、１２月２日に５回、３日に２回、４日に１回投与したことが入力されて時間軸情報５０上に矩形マーク５１〜５８が表示され、「Ａ製剤１０ml」について、１２月１日に２回、２日に３回、３日に１回、４日に１回、５日に１回投与したことが入力されて時間軸情報６０上に矩形マーク６１〜６８が表示され、「Ａ製剤２０ml」について、１２月１日に３回、２日に５回投与したことが入力されて時間軸情報５０上に矩形マーク７１〜７８が表示されている。
【００５５】
これらの矩形マークは、「Ａ製剤投与」の自己アクト情報に基づいて、当該Ａ製剤投与の実行開始時刻から終了時刻までに要する時間に対応する横幅を有している。また、これらの矩形マーク上でそれぞれマウスにより右クリック等の操作をすることにより、当該矩形マークに対応するＣＯＡ情報の詳細内容が別ウィンドウで表示され、詳細内容の情報の更新が可能になる。
【００５６】
次に医師の操作により、解析に関する項目としてＣＯＡ情報「投与数総和」が電子カルテ管理センター装置１０のＣＯＡ情報記憶部１１から取得され、このＣＯＡ情報「投与数総和」に含まれる自己アクト情報、例えばタイトル情報「投与数総和」や、時間軸の時間単位や時間幅等に基づいて第２表示情報生成部２２４において時間軸情報８０が生成される。生成された時間軸情報８０は、図６に示すように表示部２５に表示される（Ｓ７）。
【００５７】
ここで、取得されたＣＯＡ情報「投与数総和」に、リンケージ情報として、時間軸情報５０〜７０に入力された情報を解析（投与数総和演算）対象とすることが設定される。
【００５８】
次に、このように表示された情報の中から、医師の操作により、解析対象とする時間範囲が選択される（Ｓ８）。この解析対象とする時間範囲は、例えばいずれかの時間軸情報５０〜８０上で開始時刻と終了時刻とが指定されるかまたは、矩形枠で囲まれることにより選択される。
【００５９】
本実施形態においては、図６に示すように、矩形枠Ｐで囲まれた範囲が解析対象の時間範囲として選択されたものとする。
【００６０】
そして、選択された時間枠Ｐを例えば右クリック等の操作をすることにより、対象とするＣＯＡ情報の解析内容を設定するための解析内容設定ウィンドウ９１が表示される。
【００６１】
表示された解析内容設定ウィンドウ９１では、選択された範囲における解析内容として、解析を行う時間粒度、解析対象とするＣＯＡ情報の抽出条件、抽出されたＣＯＡ情報を解析するための演算式が設定される（Ｓ９）。
【００６２】
本実施形態においては、解析を行う時間粒度として「半日ごと」が設定され、解析対象とするＣＯＡ情報の抽出条件として「解析対象の時間範囲内に開始時刻が含まれるＣＯＡ情報」が設定され、抽出されたＣＯＡ情報を解析するための演算式として「抽出されたＣＯＡ情報の数の総和を求める式」が設定されたものとする。
【００６３】
このように解析内容が設定されたことにより、矩形枠Ｐ内が半日ごとの時間範囲p1およびp2に区切られ、ＣＯＡ情報抽出部２２２により、時間範囲p1の解析対象としてこの時間範囲p1内に開始時刻が含まれる矩形マーク５１、５２、６３、６４、７４、７５、７６に対応するＣＯＡ情報が抽出され、時間範囲p2の解析対象として時間範囲p2内に開始時刻が含まれる矩形マーク５３、５４、５５、６５、７７、７８に対応するＣＯＡ情報が抽出される。
【００６４】
さらに、設定された演算式により、解析処理部２２３で時間範囲p1の解析対象のＣＯＡ情報の数の総和が「７個」と算出され、時間範囲p2の解析対象のＣＯＡ情報の数の総和が「６個」と算出され、これらが解析値として出力される（Ｓ１０）。
【００６５】
そして、出力されたそれぞれの解析値について、解析内容を自己アクト情報、解析対象のＣＯＡ情報をリンケージアクト情報等として含むアクト「解析結果」のＣＯＡ情報が生成され、時間軸情報８０の時間範囲p1、p2に対応する位置に、これらのＣＯＡ情報に基づいて生成された矩形マーク８１、８２が表示されるように第２表示情報生成部２２４において第２表示情報が生成され、図６に示すように表示部２５に表示される（Ｓ１１）。
【００６６】
このようにそれぞれ解析結果に対応するＣＯＡ情報が生成されることで、解析対象のＣＯＡ情報が変更したときにこの解析結果も連動して変更され、表示されるＣＯＡ情報に対応するマークも更新される。
【００６７】
この矩形マーク８１および８２は、それぞれ時間範囲p1の解析対象のＣＯＡ情報の数の総和「７個」、および時間範囲p2の解析対象のＣＯＡ情報の数の総和「６個」に対応した高さを有している。これらの矩形マークは、矩形マーク８１のように対応する時間範囲p1の中心位置に所定の横幅で表示させてもよいし、矩形マーク８２のように対応する時間範囲p2の全範囲を横幅として表示させてもよい。
【００６８】
また、この矩形マーク８１、８２上でそれぞれマウスにより右クリック等の操作をすることにより、当該矩形マークに対応するＣＯＡ情報の詳細内容が別ウィンドウで表示され、詳細内容の情報の更新が可能になる。
【００６９】
このようにして生成された解析情報を含む電子カルテ情報は、電子カルテ情報生成装置２０の仮想記憶部２４および電子カルテ管理センター装置１０の電子カルテ情報記憶部１２に記憶されることにより、医師が再度閲覧することが可能になる。
【００７０】
以上の本実施形態によれば、時間軸情報上に医療行為の実行情報が表示された複数項目の電子カルテ情報に基づいて、医師の所望の範囲について所望の解析を行った結果を表示させることができる。
【００７１】
従来の階層構造によるプロジェクト管理情報では、上位階層の項目の表示内容は、下位階層の項目の表示内容を単に包含するものであったが、上述した本実施形態によれば、複数項目に関する情報の中から所望の情報を抽出し、この抽出した情報をさらに所望の演算を行うことにより、上位階層の情報として精度の高い管理情報を生成し表示することができる。
【００７２】
ここで、時間軸情報５０〜７０上に表示される情報は、それぞれの項目に関する行為の実体についての論理的な情報、例えば医療行為「Ａ製剤５mlの投与」という実体についての「投与実行時間」に関する論理的な情報が矩形マークで示されたものである。また、上位階層として生成された時間軸情報８０上に表示される情報は、「投与数総和」という解析行為の実体についての「解析結果」に関する論理的な情報が矩形マークで示されたものである。
【００７３】
このような考えに基づき、時間軸情報８０上に表示された情報に基づいて解析された論理的な情報を表示するためのさらに上位の時間軸情報を生成したり、時間軸情報５０〜７０上に表示された情報から分類された論理的な情報を表示するためのさらに下位の時間軸情報を生成することも可能である。
【００７４】
《第２実施形態》
〈第２実施形態としての電子カルテ管理システムの構成〉
本発明の第２実施形態における電子カルテ管理システム２の構成は、図１に示した第１実施形態における電子カルテ管理システム１の構成と同様であるため、詳細な説明は省略する。
【００７５】
〈第２実施形態としての電子カルテ管理システムの動作〉
本実施形態による電子カルテ管理システム２により、電子カルテ情報を生成し表示する場合の動作について、図７のフローチャートを参照して説明する。
【００７６】
図７のフローチャートにおいて、ステップＳ１１〜Ｓ１７の処理は、第１実施形態において説明したステップＳ１〜Ｓ７の処理と同様であるため、詳細な説明は省略する。
【００７７】
本実施形態においては、ステップＳ１７において解析に関する項目としてのＣＯＡ情報「投与数総和」により時間軸情報８０が表示された状態で、図８に示すようにこのＣＯＡ情報「投与数総和」のタイトル情報を右クリックする等により、対象とするＣＯＡ情報の解析内容を設定するための解析内容設定ウィンドウ９２が表示される。
【００７８】
表示された解析内容設定ウィンドウ９２では、解析対象の時間軸情報５０〜７０の解析内容として、解析を行う時間粒度、解析対象とするＣＯＡ情報の抽出条件、抽出されたＣＯＡ情報を解析するための演算式が設定される（Ｓ１８）。
【００７９】
本実施形態においては、解析を行う時間粒度として「半日ごと」が設定され、解析対象とするＣＯＡ情報の抽出条件として「解析対象の時間範囲内に開始時刻が含まれるＣＯＡ情報」が設定され、抽出されたＣＯＡ情報を解析するための演算式として「抽出されたＣＯＡ情報の数の総和を求める式」が設定されたものとする。
【００８０】
このように解析内容が設定されたことにより、解析対象の時間軸情報５０〜７０内がすべて半日ごとの時間範囲q1〜q9に区切られ、ＣＯＡ情報抽出部２２２により、時間範囲q1の解析対象としてこの時間範囲q1内に開始時刻が含まれる矩形マーク６１、６２、７１、７２、７３に対応するＣＯＡ情報が抽出され、時間範囲q2の解析対象として時間範囲q2内に開始時刻が含まれる矩形マーク５１、５２、６３、６４、７４、７５、７６に対応するＣＯＡ情報が抽出され、時間範囲q3の解析対象としてこの時間範囲q3内に開始時刻が含まれる矩形マーク５３、５４、５５、６５、７７、７８に対応するＣＯＡ情報が抽出され、時間範囲q4の解析対象としてこの時間範囲q4内に開始時刻が含まれる矩形マーク５６、５７に対応するＣＯＡ情報が抽出され、時間範囲q5の解析対象としてこの時間範囲q5内に開始時刻が含まれる矩形マーク６６に対応するＣＯＡ情報が抽出され、時間範囲q6の解析対象としてこの時間範囲q6内に開始時刻が含まれる矩形マーク５８に対応するＣＯＡ情報が抽出され、時間範囲q7の解析対象としてこの時間範囲q7内に開始時刻が含まれる矩形マーク６７に対応するＣＯＡ情報が抽出され、時間範囲q9の解析対象としてこの時間範囲q9内に開始時刻が含まれる矩形マーク６８に対応するＣＯＡ情報が抽出される。
【００８１】
さらに、設定された演算式により、解析処理部２２３で時間範囲q1の解析対象のＣＯＡ情報の数の総和が「５個」と算出され、時間範囲q2の解析対象のＣＯＡ情報の数の総和が「７個」と算出され、時間範囲q3の解析対象のＣＯＡ情報の数の総和が「６個」と算出され、時間範囲q4の解析対象のＣＯＡ情報の数の総和が「２個」と算出され、時間範囲q5の解析対象のＣＯＡ情報の数の総和が「１個」と算出され、時間範囲q6の解析対象のＣＯＡ情報の数の総和が「１個」と算出され、時間範囲q7の解析対象のＣＯＡ情報の数の総和が「１個」と算出され、時間範囲q9の解析対象のＣＯＡ情報の数の総和が「１個」と算出され、これらが解析値として出力される（Ｓ１９）。
【００８２】
そして、出力されたそれぞれの解析値について、解析内容を自己アクト情報、解析対象のＣＯＡ情報をリンケージアクト情報等として含むアクト「解析結果」のＣＯＡ情報が生成され、時間軸情報８０の時間範囲q1〜q9にそれぞれ対応する位置に、これらのＣＯＡ情報に基づいて生成された矩形マーク８３〜９０が表示されるように第２表示情報生成部２２４において第２表示情報が生成され、図９に示すように表示部２５に表示される（Ｓ２０）。
【００８３】
このようにそれぞれ解析結果に対応するＣＯＡ情報が生成されることで、解析対象のＣＯＡ情報が変更したときにこの解析結果も連動して変更され、表示されるＣＯＡ情報に対応するマークも更新される。
【００８４】
この矩形マーク８３は時間範囲q1の解析対象のＣＯＡ情報の数の総和「５個」に対応した高さを有し、矩形マーク８４は時間範囲q2の解析対象のＣＯＡ情報の数の総和「７個」に対応した高さを有し、矩形マーク８５は時間範囲q3の解析対象のＣＯＡ情報の数の総和「６個」に対応した高さを有し、矩形マーク８６は時間範囲q4の解析対象のＣＯＡ情報の数の総和「２個」に対応した高さを有し、矩形マーク８７は時間範囲q5の解析対象のＣＯＡ情報の数の総和「１個」に対応した高さを有し、矩形マーク８８は時間範囲q6の解析対象のＣＯＡ情報の数の総和「１個」に対応した高さを有し、矩形マーク８９は時間範囲q7の解析対象のＣＯＡ情報の数の総和「１個」に対応した高さを有し、矩形マーク９０は時間範囲q9の解析対象のＣＯＡ情報の数の総和「１個」に対応した高さを有している。これらの矩形マークは、対応する時間範囲の中心位置に所定の横幅で表示させてもよいし、対応する時間範囲の全範囲を横幅として表示させてもよい。
【００８５】
また、この矩形マーク８３〜９０上でそれぞれマウスにより右クリック等の操作をすることにより、当該矩形マークに対応する解析結果等の詳細内容が別ウィンドウで表示され、それぞれの詳細内容の情報の更新が可能になる。
【００８６】
以上の本実施形態によれば、時間軸情報上に医療行為の実行情報が表示された複数項目の電子カルテ情報に基づいて、所望の自動解析を行った結果を表示させることができる。
【００８７】
上述した第１実施形態および第２実施形態においては、解析内容設定ウィンドウにより設定される「解析対象とするＣＯＡ情報の抽出条件」として、「解析対象の時間範囲内に開始時刻が含まれるＣＯＡ情報」とした場合について説明したが、これには限定されず、「解析対象の時間範囲内に終了時刻が含まれるＣＯＡ情報」、「解析対象の時間範囲内に開始時刻から終了時刻までのすべてが含まれるＣＯＡ情報」、または、「解析対象の時間範囲内に一部が含まれるＣＯＡ情報」としてもよい。
【００８８】
また、上述した第１実施形態および第２実施形態においては、解析内容設定ウィンドウにより設定される演算式が「抽出されたＣＯＡ情報の数の総和を求める式」である場合について説明したが、これには限定されず、「抽出されたＣＯＡ情報に関する値（例えば投与量）の平均値を求める式」、「抽出されたＣＯＡ情報に関する値の微分値を求める式」、「抽出されたＣＯＡ情報に関する値の積分値を求める式」、または「抽出されたＣＯＡ情報間の複数の変化量の相関関係を示す値を求める式」等でもよい。
【００８９】
例えば、電子カルテ情報を構成する項目「最高血圧」の時間軸情報上に「血圧計測」の実行を示すＣＯＡ情報が入力され、別の項目「空腹時血糖」の時間軸情報上に「空腹時血糖値計測」の実行を示すＣＯＡ情報が入力されている場合に、解析対象とするＣＯＡ情報の抽出条件を「血圧計測の前後２時間以内に空腹時血糖値計測が実行されているときに当該血圧計測値と血糖計測値とを抽出する」とし、抽出されたＣＯＡ情報を解析するための演算式として「これらの相関関係を示す値を求める式」とすることができる。ＣＯＡ情報の抽出条件は、他に「一の時間軸情報上のＣＯＡ情報と、このＣＯＡ情報の直後の他の時間軸情報上のＣＯＡ情報とを抽出する」等に設定することも可能である。
【００９０】
また、このように求めた相関関係を、例えば血糖計測値を変数Ｘとし血圧計測値を変数Ｙとして図１０に示すように別ウィンドウ９３に２次元グラフに展開することで、視覚的に把握しやすく表示させるようにしてもよい。
【００９１】
また、上述した解析に関する項目に対応する時間軸情報とは別に、新たに解析処理の実行状態を示すための時間軸情報を表示させ、図１１に示すように、上述したような解析処理を実行した時刻に対応する位置に所定のマークを表示させるようにしてもよい。さらに、このマーク上でマウスにより右クリック等の操作をすることにより、当該マークに対応する解析処理の解析内容を別ウィンドウで表示させるようにしてもよい。
【００９２】
また、上記の実施形態の電子カルテ情報生成装置の制御部の機能構成をプログラム化してコンピュータに組み込むことにより、当該コンピュータを電子カルテ情報生成装置として機能させる電子カルテ情報表示用プログラムを構築することも可能である。
【００９３】
また、本実施形態においては、プロジェクト情報表示装置の一例として電子カルテ情報生成装置について説明したがこれには限定されず、他のプロジェクト情報、例えば工場において製造工程を管理するプロジェクト情報やさまざまな分野のスケジュール情報など、時間軸に基づいた情報を表示させるいかなる装置にも適用することができる。
【符号の説明】
【００９４】
１，２…電子カルテ管理システム
１０…電子カルテ管理センター装置
１１…ＣＯＡ情報記憶部
１２…電子カルテ情報記憶部
１３…送受信部
２０…電子カルテ情報生成装置
２１…入力部
２２…制御部
２３…送受信部
２４…仮想記憶部
２５…表示部
３０…ネットワーク
５０〜８０…時間軸情報
５１〜５８…矩形マーク
６１〜６８…矩形マーク
７１〜７８…矩形マーク
８１〜９０…矩形マーク
９１，９２…解析内容設定ウィンドウ
９３…ウィンドウ
【図１】
0005600578.tif 000002
【図２】
0005600578.tif 000003
【図３】
0005600578.tif 000004
【図４】
0005600578.tif 000005
【図５】
0005600578.tif 000006
【図６】
0005600578.tif 000007
【図７】
0005600578.tif 000008
【図８】
0005600578.tif 000009
【図９】
0005600578.tif 000010
【図１０】
0005600578.tif 000011
【図１１】
0005600578.tif 000012